【手続補正書】
【提出日】平成18年10月2日(2006.10.2)
【手続補正１】
【補正対象書類名】明細書
【補正対象項目名】特許請求の範囲
【補正方法】変更
【補正の内容】
【特許請求の範囲】
【請求項１】  環状の額縁を有するとともに、該額縁の外周辺に設けられる一対の側面および一対の端面を有するフロントフレーム、
前記一対の側面および前記一対の端面によって挟み込まれるモールドフレーム、
前記フロントフレームと前記モールドフレームとのあいだに配置された表示パネル
を備える表示装置であって、
前記側面および前記端面の内側に、凸状の前記表示パネルの位置合わせ用のストッパー片が形成されてなる
ことを特徴とする表示装置。
【請求項２】  前記ストッパー片が、前記側面および前記端面を加工して作られる段差部である請求項１記載の表示装置。
【請求項３】  前記ストッパー片が、前記側面および前記端面の根元から突出した突起を折り曲げて作られたものである請求項１記載の表示装置。
【請求項４】  前記ストッパー片が、前記側面および前記端面に付着されるスペーサ材である請求項１記載の表示装置。
【請求項５】  前記表示パネルに、隙間を隔てて配置された複数のフィルムを介して回路基板が接続されており、前記ストッパー片が前記隙間に挿入されてなる請求項１、２、３または４記載の表示装置。
【請求項６】  前記ストッパー片が挿入される隙間を他の隙間より広くする請求項５記載の表示装置。
【請求項７】  前記ストッパー片によって、前記表示パネルの位置合わせとともに、前記モールドフレームの位置合わせが行なわれる請求項１、２、３、４、５または６記載の表示装置。
【請求項８】  前記側面および前記端面と前記ストッパー片の位置合わせ面との距離が０．１〜０．５ｍｍである請求項１、２、３、４、５、６または７記載の表示装置。
【請求項９】  前記距離が０．３〜０．５ｍｍである請求項８記載の表示装置。
【請求項１０】  前記表示パネルが、液晶表示パネル、プラズマディスプレイパネル、電界放出型ディスプレイパネル、発光ダイオードディスプレイパネルまたはエレクトロルミネセントディスプレイパネルである請求項１、２、３、４、５、６、７、８または９記載の表示装置。
【請求項１１】  環状の額縁を有するとともに、該額縁の外周辺に設けられる一対の側面および一対の端面を有するフロントフレーム、該フロントフレームとモールドフレームとのあいだに配置される表示パネルを備える表示装置であって、前記側面および前記端面に前記表示パネルの位置合わせ用の第１のストッパー片が形成されているとともに、前記モールドフレームの周辺に前記表示パネルの位置合わせ用の第２のストッパー片が形成されており、該第２のストッパー片が前記第１のストッパー片と前記表示パネルを介して対向してなることを特徴とする表示装置。
【請求項１２】  前記一対の側面および前記一対の端面によって前記モールドフレームが挟み込まれている請求項１１記載の表示装置。
【請求項１３】  前記第１のストッパー片が、前記側面および前記端面を加工して作られる段差部である請求項１１または１２記載の表示装置。
【請求項１４】  前記第１のストッパー片が、前記側面および前記端面の根元から突出した突起を折り曲げて作られたものである請求項１１または１２記載の表示装置。
【請求項１５】  前記第１のストッパー片が、前記側面および前記端面に付着されるスペーサ材である請求項１１または１２記載の表示装置。
【請求項１６】  前記表示パネルに、隙間を隔てて配置された複数のフィルムを介して回路基板が接続されており、前記第１のストッパー片が前記隙間に挿入されてなる請求項１１、１２、１３、１４または１５記載の表示装置。
【請求項１７】  前記第１のストッパー片が挿入される隙間を他の隙間より広くする請求項１６記載の表示装置。
【請求項１８】  前記第１のストッパー片によって、前記表示パネルの位置合わせとともに、前記モールドフレームの位置合わせが行なわれる請求項１１、１２、１３、１４、１５、１６または１７記載の表示装置。
【請求項１９】  前記側面および前記端面と前記第１のストッパー片の位置合わせ面との距離が０．１〜０．５ｍｍである請求項１１、１２、１３、１４、１５、１６、１７または１８記載の表示装置。
【請求項２０】  前記距離が０．３〜０．５ｍｍである請求項１９記載の表示装置。
【請求項２１】  前記表示パネルが、液晶表示パネル、プラズマディスプレイパネル、電界放出型ディスプレイパネル、発光ダイオードディスプレイパネルまたはエレクトロルミネセントディスプレイパネルである請求項１１、１２、１３、１４、１５、１６、１７、１８、１９または２０記載の表示装置。
【請求項２２】  モールドフレームに表示パネルを重ねたのち、前記表示パネルの上下方向および左右方向の位置合わせを行なうため、前記モールドフレームに形成されたストッパー片に前記表示パネルを突き合わせ、ついで前記表示パネルをフロントフレームで覆うとともに、前記表示パネルを前記フロントフレームに形成されたストッパー片に接触させることを特徴とする表示装置の製法。
【請求項２３】  前記表示パネルには、隙間を隔てて配置されたフィルムを介して回路基板が装着されており、前記フロントフレームに形成されたストッパー片を前記隙間に挿入する請求項２２記載の表示装置の製法。
【請求項２４】  環状の額縁を有するとともに、該額縁の外周辺に設けられる一対の側面および一対の端面を有するフロントフレーム、前記一対の側面および前記一対の端面によって挟み込まれるモールドフレーム、前記フロントフレームと前記モールドフレームとのあいだに配置された表示パネル、前記フロントフレームまたは前記モールドフレームに設けられた締結部材を介して前記表示パネルを固定する筐体を備える画像端末装置であって、前記側面および前記端面に、前記表示パネルの位置合わせ用のストッパー片が形成されてなることを特徴とする画像端末装置。
【請求項２５】  環状の額縁を有するとともに、該額縁の外周辺に設けられる一対の側面および一対の端面を有するフロントフレーム、該フロントフレームとモールドフレームとのあいだに配置される表示パネル、前記フロントフレームまたは前記モールドフレームに設けられる締結部材を介して前記表示パネルを固定する筐体を備える画像端末装置であって、前記側面および前記端面に前記表示パネルの位置合わせ用の第１のストッパー片が形成されているとともに、前記モールドフレームの周辺に前記表示パネルの位置合わせ用の第２のストッパー片が形成されており、該第２のストッパー片が前記第１のストッパー片と前記表示パネルを介して対向してなることを特徴とする画像端末装置。
【請求項２６】  前記第１のストッパー片が、前記側面および前記端面を加工して作られる段差部である請求項２４または２５記載の画像端末装置。
【請求項２７】  前記第１のストッパー片が、前記側面および前記端面から突出した突起を折り曲げて作られたものである請求項２４または２５記載の画像端末装置。
【請求項２８】  前記第１のストッパー片が、前記端面および前記側面に付着されるスペーサ材である請求項２４または２５記載の画像端末装置。
【手続補正２】
【補正対象書類名】明細書
【補正対象項目名】００１４
【補正方法】変更
【補正の内容】
【００１４】
【課題を解決するための手段】
本発明の表示装置は、環状の額縁を有するとともに、該額縁の外周辺に設けられる一対の側面および一対の端面を有するフロントフレーム、前記一対の側面および前記一対の端面によって挟み込まれるモールドフレーム、前記フロントフレームと前記モールドフレームとのあいだに配置される表示パネルを備える表示装置であって、前記側面および前記端面の内側に、凸状の前記表示パネルの位置合わせ用のストッパー片が形成されてなることを特徴とする。